Podtech/llm-jp-corpus-v4-ja_patent huggingface dataset:
(57)【要約】      （修正有）【課題】葬祭または葬祭終了後、法事等に使用でき、なおかつ家庭においても仏壇等に飾ることができる、または収納できる額を提供する。【解決手段】保存用のアルバム台紙１に厚みの薄い遺影額２をとりつけ、葬祭時または法事や普段の飾りなど必要な時に使用でき、飾る場所のない家庭ではアルバム台紙１の表紙を閉め書棚などに場所をとらずに保存できるようにしたものである。【選択図】図１
0003120549.tif 000002
【実用新案登録請求の範囲】
【請求項１】
アルバム台紙の内側に厚みの薄い写真用額の額縁をとりつけ、上部又は左右から写真の入れ替えをできるようにし、そのまま祭壇に飾る事もでき、法事などにも使用でき、なおかつアルバム台紙のフタを閉じて書棚などに場所をとらず収納でき長期保存もできる特徴をもつ薄型アルバム式遺影写真額である。
【考案の詳細な説明】
【技術分野】
【０００１】本考案は、葬祭時における遺影写真額のかわりにアルバム台紙を開いた状態にし薄型の写真用額の額縁をアルバム台紙の内側にとりつけそこに遺影写真をいれ祭壇に飾るようにしたものである。
【背景技術】
【０００２】従来、葬祭時に遺影写真は専用の遺影写真額をもちいて祭壇に飾っていた。葬儀が終わった後は各家庭に遺影写真額を持ち帰り各々仏壇や鴨居等に遺影写真額を飾っていた。
【考案の開示】
【考案が解決しようとする課題】
【０００３】昨今の住宅事情を考えると各家庭に仏壇や鴨居等、遺影写真額を飾る場所がなくなり遺影写真額そのものを収納する場所もないという問題があった。【０００４】本考案は、従来の問題点を解決するもので、祭壇に飾り、お葬儀が終わったのち仏壇や鴨居等、遺影写真額を飾る場所がない家などでも場所をとらず収納でき、法事など必要な時にはいつでも飾れる遺影写真額を提供するものである。
【課題を解決するための手段】
【０００５】上記の目的を達成するために、記念写真等を長期保存するためのアルバム台紙に厚みの薄い額を内側にとりつけ、額の上部または左右に開口部を開けた。
【考案の効果】
【０００６】上述の様に、本考案のアルバム式遺影写真額は、上部または左右から写真の入れ替えを簡単にできるようにし、そのまま飾る事もでき、なおかつアルバムのフタを閉じて書棚などに場所をとらず収納でき、アルバム台紙の利点でもある長期保存ができるものである。
【実施例】
【０００７】以下、添付図面に従って一実施例を説明する。図１はアルバムの表紙をあけた図である。図面では上部に開口部をあけ、写真台紙をいれるように作図している。図２は祭壇や法事または普段飾る場合などのの斜視図である。図３は書棚などに収納する場合の斜視図である。図４は上部から見た断面図である。
【図面の簡単な説明】
【０００８】
【図１】本考案のアルバム式遺影写真額の表紙をあけた正面図である。
【図２】本アルバム式遺影写真額を祭壇や法事等に飾る場合などの斜視図である。
【図３】本アルバム式遺影写真額を書棚などに収納する場合の斜視図である。
【図４】本アルバム式遺影写真額を上部からみた断面図である。
【符号の説明】
【０００９】１  アルバム台紙
２  アルバム台紙の厚みにあわせた、厚みの薄い遺影写真額の額縁
３  遺影写真を貼るための写真台紙
４  写真台紙をいれるための空間
【図１】
0003120549.tif 000003
【図２】
0003120549.tif 000004
【図３】
0003120549.tif 000005
【図４】
0003120549.tif 000006
(57)【要約】      （修正有）【課題】イベントの雰囲気にふさわしい機能性を備えたライターを提供する。【解決手段】ライターは、ガスが充填されたタンクを収容するケース内または外側に、音声情報が格納された記憶装置と、記憶装置に格納された音声情報を読み出し、スピーカに出力するための制御を行うＩＣと、ＩＣに給電する電源装置とを備えている。【選択図】図２
0003120512.tif 000002
【実用新案登録請求の範囲】
【請求項１】
ガスが充填されたタンクを収容するケース内または外側に、音声情報が格納された記憶装置と、該記憶装置に格納された音声情報を読み出し、スピーカに出力するための制御を行うＩＣと、該ＩＣに給電する電源装置とを備えてなるライター。
【請求項２】
前記音声情報が電気信号として記憶装置に格納され、
前記ＩＣがＣＰＵであり、該ＣＰＵにおいて、該記憶装置に格納された電気信号の読み出しと、読み出された電気信号のＤＡ変換と、該ＤＡ変換された電気信号の増幅とが制御され、
該ＣＰＵにおいて増幅された電気信号が前記スピーカにより音響エネルギーに変換され、
前記電源からＣＰＵへの給電がスイッチによりオンオフ制御される請求項１記載のライター。
【考案の詳細な説明】
【技術分野】
【０００１】
本考案はライターに関する。さらに詳しくは、ガスが充填されたタンクを収容するケース内に、音声情報が格納された記憶装置と、該音声情報を読み出し、スピーカに出力する制御を行うＩＣと、該ＩＣに給電する電源装置とを備えてなるライターに関する。
【背景技術】
【０００２】
喫煙用、コンロなどの着火用のライターが一般的であり、着火という目的以外の機能性を備えたライターは市場で入手することができないのが現状である。
【０００３】
そして、バースデイケーキやクリスマスケースなどに設けられるロウソクや、パーティーの席に設置された燭台に立てられたロウソクに着火する際、かかる喫煙用のライターが用いられている。その際、ロウソクに火が点って拍手が起きるのが関の山である。
【考案の開示】
【考案が解決しようとする課題】
【０００４】
本考案は、着火機能以外にイベントの雰囲気にふさわしい機能性を備えたライターを提供することを目的とするものである。
【課題を解決するための手段】
【０００５】
本考案のライターは、ガスが充填されたタンクを収容するケース内または外側に、音声情報が格納された記憶装置と、該記憶装置に格納された音声情報を読み出し、スピーカに出力するための制御を行うＩＣと、該ＩＣに給電する電源装置とを備えてなることを特徴としている。
【０００６】
また、前記音声情報が電気信号として記憶装置に格納され、
前記ＩＣがＣＰＵであり、該ＣＰＵにおいて、該記憶装置に格納された電気信号の読み出しと、読み出された電気信号のＤＡ変換と、該ＤＡ変換された電気信号の増幅とが制御され、
該ＣＰＵにおいて増幅された電気信号が前記スピーカにより音響エネルギーに変換され、
前記電源からＣＰＵへの給電がスイッチによりオンオフ制御されることが好ましい。
【考案の効果】
【０００７】
本考案によれば、ガスが充填されたタンクを収容するケース内に、音声情報が格納された記憶装置と、該記憶装置に格納された音声情報を読み出し、スピーカに出力するための制御を行うＣＰＵと、該ＣＰＵに給電する電源装置とを備えているため、ユーザは前記記憶装置にクリスマスやバースデイなどのイベントに因んだメロディーの音声情報を記録させたライターを選択すると、そのイベントにふさわしいメロディーを再生することができるので、イベントの雰囲気をより一層盛り上げることができる。
【考案を実施するための最良の形態】
【０００８】
添付図面を参照しながら本考案のライターを以下に詳細に説明する。
【０００９】
図１は本考案の一実施の形態にかかわるライターを示す平面説明図、図２は図１のライターの内部構造を示す説明図である。
【００１０】
図１および２を参照すると、本実施の形態にかかわるライター１０は、ガス貯蔵容器１と、ガス貯蔵容器１に設けられ、ガス貯蔵容器１からバルブＶを介して吐出されたガスを着火するための着火手段とから構成されている。
【００１１】
そして、ガス貯蔵容器１は、ガスが充填されたタンク２と、タンク２を収容するケース３とから構成されている。
【００１２】
本実施の形態において着火手段は、タンク２とバルブＶを介して連通し、かつケース３から突出したノズル２ａを備えている。
【００１３】
ケース３には、ピンＰ１により旋回自在に支持されたトリガー６が設けられている。トリガー６の根元部６ａは、腕部４ｃを介してピエゾ素子４ａの押圧部４ｂと当接する。
【００１４】
腕部４ｃは、ピンＰ２によってケース３に旋回自在に支持されている。
【００１５】
さらに、ケース３内にはレバーＬが設けられている。レバーＬの一端はノズル２ａの下端に支持され、かつバルブＶと当接しており、レバーＬの他端はトリガー６と当接する。（図２参照）。
【００１６】
つぎに、図２を参照すると、ケース３の内部に、クリスマスソングや、誕生日に因んだメロディーなどの音声情報を電気信号（デジタル情報）として記録するためのＲＡＭ、ＲＯＭなどの記憶装置７と、該記憶装置７に格納された電気信号を読み出し、スピーカＳＰに出力するための制御を行うＩＣ（集積回路）８と、該ＩＣ８に給電する電源装置としての電池（図示されていない）とを備えている。なお、ＩＣ８としては、市場で入手できるワンチップＩＣ（商品名）を採用することができる。
【００１７】
記憶装置７に格納されたクリスマスソングや、誕生日に因んだメロディーなどの音声情報は、ＩＣ８としてＣＰＵ８を用いた場合、ＣＰＵ８において、該記憶装置７に格納された電気信号の読み出しと、読み出された電気信号のＤＡ変換と、該ＤＡ変換された電気信号の増幅とが制御される。
【００１８】
ＣＰＵ８において増幅された電気信号は、前記スピーカＳＰにより音響エネルギーに変換される。また、電池（図示されていない）からＣＰＵ８への給電は、スイッチ９によりオンオフ制御される。しかし、図示されたようにスイッチ９を独立して設けることは必須ではない。たとえば、前述のトリガー６の動作と連動させて、ＣＰＵ８への給電をオンオフ制御することも可能である。
【図面の簡単な説明】
【００１９】
【図１】本考案の一実施の形態にかかわるライターを示す平面説明図である。
【図２】図１のライターの内部構造を示す説明図である。
【符号の説明】
【００２０】
１    ガス貯蔵容器
２    タンク
２ａ  ノズル
３    ケース
４ａ  ピエゾ素子
４ｂ  押圧部
４ｃ  腕部
６    トリガー
６ａ  根元部
７    記憶装置
８    ＩＣ（ＣＰＵ）
Ｌ    レバー
Ｐ１  ピン
Ｐ２  ピン
ＳＰ  スピーカ
Ｖ    バルブ
【図１】
0003120512.tif 000003
【図２】
0003120512.tif 000004
(57)【要約】【課題】どのような場所でも座って容易に、また首に負担をかけることなく洗髪できるシャンプーカバーを提供すること。【解決手段】楕円型のスポンジの端を垂直に立ち上げて囲い（１）を作り、後方に排水の為の開口部（２）を作り、中央に頭をだす丸い穴（３）を開けたシャンプーカバー。【選択図】図１0003120537.tif 000003
0003120537.tif 000002
【実用新案登録請求の範囲】
【請求項１】
楕円型のスポンジの端を垂直に立ち上げて囲い（１）、後方に排水のための開口部（２）を作り、中央に頭をだす丸い穴（３）を開けたシャンプーカバー。
【考案の詳細な説明】
【技術分野】
【０００１】本考案はどのような場所でも座って容易に、又、首、肩、腰に負担をかけることなく洗髪できるシャンプーカバーに関するものである。
【背景技術】
【０００２】従来も入浴時の洗髪で目や耳にシャンプー液や温水が入るのを防ぐ目的のシャンプーハットはあった。またスタンドの可動式もあるが、頭を首の筋力で支えていた。
【考案の開示】
【考案が解決しようとする課題】
【０００３】従来のシャンプーハットは、入浴時の洗髪で目や耳にシャンプー液や温水が入るのを防ぐ目的のため、使用する場所が限定された。またスタンドの可動式は、頭を首の筋力で支えるため、頚椎が過剰に後屈して首、肩、腰に負担がかかっていた。
本考案は以上の欠点を解消するためになされたものである。
【課題を解決する為の手段】
【０００４】楕円型のスポンジの端を垂直に立ち上げて囲い（１）、後方に排水のための開口部（２）を作り、中央に頭をだす丸い穴（３）を開けたシャンプーカバー。
【考案を実施するための最良の形態】
【０００５】以下、本考案の実施の形態を説明する。
楕円型のスポンジの端を垂直に立ち上げて囲い（１）、シャンプー液、温水の流れを受け止めるだけの高さ、つばの広さにする。後方に排水のための開口部（２）を作り、中央に頭をだす丸い穴（３）を開ける。スポンジは頭につけ易く、目、耳にシャンプー液、温水等が入らないように肌に密着、固定するための伸縮、弾力があり、また温水の重みに耐える厚さとする。
本考案は、以上の構成よりなっている。【０００６】本考案を使用するときは、中央部に開いた穴の前部分を被洗髪者の額にあわせてから、後方部分を耳の上、えり足へと移動し、髪の毛を外に出す。開口部に筒状のビニールをつけることでシャンプー液、温水等をバケツ等の容器へ誘導する。洗髪時は自然に椅子に座った姿勢でも、床に座った姿勢でもよい。
【考案の効果】
【０００７】本考案を使用することにより、老齢者や身体不自由者等が、訪問理美容サービス等を受ける場合、場所を選ばず座って容易にでき、又、首、肩、腰に負担をかけない姿勢で洗髪できる。
【考案を実施する為の最良の形態】
楕円型のスポンジの端を垂直に立ち上げて囲い（１）、シャンプー液、温水の流れを受け止めるだけの高さ，つばの広さにする。後方に排水のための開口部（２）を作り、中央に頭をだす丸い穴（３）を開ける。スポンジは頭につけ易く、目、耳にシャンプー液、温水等が入らないように肌に密着、固定するための、伸縮、弾力があり、また温水の重みに耐える厚さとする。
【実施例】楕円形のスポンジはｅｖａ樹脂を使用することで、癸水性、耐熱性、伸縮性、弾力性に対応でき、囲い（１）のための重さ等は厚さを調整し、開口部（２）は排水へ誘導し易く、ビニールも止まり易い長さにし、頭をだす穴（３）の大きさは伸縮、弾力があるので小さめに開けた。
【図面の簡単な説明】
【図１】    本考案の斜視図
【図２】    本考案の平面図
【図３】    本考案の断面図
【符号の説明】
１  囲い
２  開口部
３  穴
【図１】
0003120537.tif 000004
【図２】
0003120537.tif 000005
【図３】
0003120537.tif 000006
(57)【要約】      （修正有）【課題】カードのスキミングを防止できるデザイン性に優れるスキミング防止構成体を提供する。【解決手段】カード１はその上面側に複数層の３次元画像形成層２が、下面側に樹脂よりなるベース層３が、それらの間に電磁波遮断層４が配置されて構成されている。電磁波遮断層４はベース層３面に金属箔が貼られたり金属膜が蒸着されて形成され、さらにその上面に印刷により複数層の３次元画像形成層２が付設されている。カード１の表面には３次元画像形成層２より立体写真像が現出している。【選択図】図２
0003120558.tif 000002
【実用新案登録請求の範囲】
【請求項１】
３次元画像形成層と電磁波遮断層とが積層配置されて構成されてなることを特徴とするスキミング防止構成体。
【考案の詳細な説明】
【技術分野】
【０００１】  この考案は、スキミング防止構成体に関する。
【背景技術】
【０００２】  最近では現金を使用することなくカードを使用しての支払いが一般的となっており、それに伴ってカードのスキミングによる不正行為が発生している。カードは通常財布に入れて持ち歩くが、混雑する電車内等において、服のポケットやカバンに入れている財布を通してスキミングが行われることか多い。
【考案の開示】
【考案が解決しようとする課題】
【０００３】  この考案では、上記の財布等を通してのカードのスキミングを防止できるデザイン性に優れるスキミング防止構成体を提供することを目的とする。
【課題を解決するための手段】
【０００４】  この考案では、３次元画像形成層と電磁波遮断層とが積層配置されて構成されてなることを特徴とするスキミング防止構成体提供する。【０００５】  上記構成のスキミング防止構成体は３次元画像形成層が３次元立体画像を現出して意匠性に優れ、かつ、カードの側に配置することで電磁波遮断層により電磁波を遮断してカードからのスキミングを防止する。【０００６】  この考案のスキミング防止構成体はカード形態とされて財布内に納められて用いられてもよく、また、そのものがカードの収納機能を持つ形態とされてもよく、さらに、その他適宜の形態において実施可能である。また、３次元画像形成層も単なる立体的な画像を現出する他に、見る角度を変えるのに伴って変化画像を現出する等の適宜の構成において実施可能である。
【考案の効果】
【０００７】  この考案によれば、デザイン性も豊かな実用性の高いスキミング防止構成体が得られ、このスキミング防止構成体を用いることで各種カードにおけるスキミングが容易、かつ、確実に防止できるようになって安全性が確保される。
【考案を実施するための最良の形態】
【０００８】  図１はこの考案のスキミング防止構成体の第１の実施形態としてのカードを示す外観斜視図、図２は同断面構成図である。【０００９】  カード１はその上面側に複数層の３次元画像形成層２が、下面側に樹脂よりなるベース層３が、それらの間に電磁波遮断層４が配置されて構成されている。電磁波遮断層４はベース層３面に金属箔が貼られたり金属膜が蒸着されて形成され、さらにその上面に印刷により複数層の３次元画像形成層２が付設されている。カード１の表面には３次元画像形成層２より花の立体写真像５が現出している。【００１０】  このカード１が財布内にキャッシュカード等の側に沿うように収納され、かつ、その財布をカード１が収納された側が外方となるように服、カバン内に所持することで、その電磁波遮断層４により電磁波が遮断されることで外方からのスキミングが防止される。また、このカード１を取り出すことで従来の３次元画像カードと同様にその３次元画像形成層２の現出する立体写真像５を楽しむことができる。【００１１】  図３はこの考案のスキミング防止構成体の第２の実施形態としてのカード収納体１０の断面構成図である。【００１２】  カード収納体１０は上記第１の実施形態のカード１と同構成で３次元画像形成層１２、ベース層１３、電磁波遮断層１４を備える前側部１５と、その後面側に取り付けられる後側部１６とからなり、その間にキャッシュカードの収納部１７を備える構成とされている。カード収納体１０はこのような構成を持つことで、その収納部１７にキャッシュカード等を入れることで直接に服、カバン内に所持することができ、その場合も上記の第１の実施形態のカード１と同様のスキミング防止機能が発揮される。
【図面の簡単な説明】
【図１】  スキミング防止構成体の第１の実施形態であるカードの外観斜視図
【図２】  スキミング防止構成体の第１の実施形態であるカードの断面構成図
【図３】  スキミング防止構成体の第２の実施形態であるカード収納体の断面構成図
【符号の説明】
１  カード（スキミング防止構成体）
２  ３次元画像形成層
４  電磁波遮断層
１０カード収納体（スキミング防止構成体）
【図１】
0003120558.tif 000003
【図２】
0003120558.tif 000004
【図３】
0003120558.tif 000005
(57)【要約】      （修正有）【課題】ラウンド中プレイヤーから不快感を取り除き、プレイに集中してもらう乗用ゴルフカートを提供する。【解決手段】乗用ゴルフカート本体に圧縮空気用ボンベ５を着脱可能な器具６で固定し、エアーホース４の一端をボンベ５に装着し、他端をエアーガン２に装着し、エアーガン２を乗用ゴルフカートの屋根を支える支柱１に取り付けたフック３に吊り下げておき、必要時にエアーガン２を取り外し、エアーガン２のレバーを引いている時間だけ噴射することにより夏場の清涼感、ズボンや靴等の除塵をすることができる。【選択図】図１
0003120557.tif 000002
【実用新案登録請求の範囲】
【請求項１】
乗用ゴルフカートに、圧縮空気用ボンベを着脱可能な器具で固定し、エアーホースの一端をそのボンベに装着し、多端にエアーガンを装着して、エアーガンが取り外しできるフックを、ゴルフカートの屋根を支える支柱に取り付けたエアーガン付乗用ゴルフカート。
【考案の詳細な説明】
【技術分野】
【０００１】  本考案は、乗用ゴルフカートに圧縮空気用ボンベおよびエアーガンを搭載し、ゴルフのプレイの合間に清浄な空気を噴射し、汗およびズボン，靴についた汚れを除去することのできるゴルフカートに関するものである。
【背景技術】
【０００２】  ゴルファーは、夏の猛暑の中では木陰やカートの中などで暑さを凌いでおり、靴やズボン等の汚れはプレイ終了後キャディマスター室のところにあるエアーガンで落としていた。
【考案の開示】
【考案が解決しようとする課題】
【０００３】  ゴルファーは年配者も多く、また、働き盛りのゴルファーも翌日まで疲労を持ち越さないために乗用ゴルフカートを多用しているのが現状だが、夏場の炎天下でのプレイは、熱射病や不測の事態にもつながる恐れがあり熱さには閉口している。また、雨天のプレイは、ゴルフシューズやズボン、靴下などに草や泥などが付着し、プレイ終了後キャディマスター室のところにあるエアーガンでないと靴の汚れ等を落とすことができない。【０００４】  本考案は、上記の問題点を考えたものであり、圧縮空気を入れたボンベをカートに搭載し、そこにエアーホースとエアーガンを装着し、エアーガンから清浄な空気を噴射することにより、プレイヤーから少しでも不快感を取り除き、プレイに集中してもらう乗用ゴルフカートの提供を目的とする。
【課題を解決するための手段】
【０００５】  上記目的を達成するために、乗用ゴルフカートに除塵された圧縮空気を入れたボンベを着脱可能な器具で固定し、そのボンベからエアーホースを介してエアーガンを取り付け、エアーガンを吊り下げるフックを乗用ゴルフカートの屋根を支える支柱に取り付けることにより問題点を解決している。
【考案の効果】
【０００６】  上述のようにエアーガン付乗用ゴルフカートは、ラウンド中でもカート本体に圧縮空気の入ったボンベを搭載しているので、圧力調整された清浄な空気がエアーガンのレバーを引いている時間だけ供給されるので、プレイヤーに向けて噴射することにより夏場の炎天下での清涼感や、雨天でのゴルフシューズやズボンなどの汚れを落とすことができる。
【考案を実施するための最良の形態】
【０００７】  カート本体に、ボンベ及び圧力ゲージ等を、直射日光及び地表熱を避け、乗り降り等の邪魔にならず、且つ衝撃等を受けない空間（例えば座席下のような空間）を利用して、着脱可能な器具で固定する。【０００８】  エアーホースの一端をボンベに装着、他端をエアーガンに装着し、カート本体の屋根を支える支柱にエアーガンを吊り下げるフックを取り付ける。
【実施例】
【０００９】  以下添付図面にしたがって一実施例を説明する。１はカートの屋根を支える支柱、３はエアーガンを吊り下げるために支柱に固定したフック、２はエアーガンで、４はエアーガンに装着されたエアーホースで、５の圧縮空気用ボンベに装着されており、６は圧縮空気用ボンベを固定する着脱可能な器具である。【００１０】  本考案の一実施例は上述のような構成からなり、３のエアーガン使用時には容易にフック２から取り外し、使用後はフック２に掛けておく。【００１１】  圧縮空気用ボンベ５は、ハーフラウンド休憩時に残量が少量であれば、取り外してコンプレッサー室にて補充するか，カートから着脱せずにコンプレッサー室にて補充も可能である。
【図面の簡単な説明】
【００１２】
【図１】  「ボンベからエアーホース、エアーガンを装着し、乗用ゴルフカートの屋根支柱部分のフックに吊り下げた概略図である。」
【図２】  「乗用ゴルフカートの屋根支柱部分とフックを図１の横から見た概略図である。」
【符号の説明】
【００１３】    １  屋根支柱
２  エアーガン
３  フック
４  エアーホース
５  圧縮空気用ボンベ
６  固定器具
７  圧力ゲージ
【図１】
0003120557.tif 000003
【図２】
0003120557.tif 000004
(57)【要約】      （修正有）【課題】各種物品の保護用緩衝材の包装作業時間の大幅な短縮、省力化、および、資源の節約を目的とする緩衝材を提供する。【解決手段】作業時間短縮、省力化のため、保護用緩衝材シートに、緊縛用紐および縛止用部位を装着する。資源の節約を図るため、本体シートを十字型にし、角代を設け物品の角部の保護を強化した。【選択図】図１
0003120552.tif 000002
【実用新案登録請求の範囲】
【請求項１】
主として家具類の運送時に用いるシート状保護用緩衝材において、単数または複数の緊縛用紐の片端部のみがシートに装着、固定され、前記装着、固定部には前記緊縛用紐を結びつけるための環状の縛止用部位が設置されており、緊縛用紐はシートで物品を包装する際にシートと物品を一体化させるためのものであり、被包装物品およびシートを緊縛用紐で巻きつけ前記縛止用部位に結びつけ緊縛することを特徴とする保護用緩衝材。
【請求項２】
前記シートの形態が、底部の各辺にそれぞれ折線を介して側部を連設して十字形に形成され、被包装物の角部の破損、変動防止を強化するため側部の側辺部分に角部保護強化部（角代）のあることを特徴とする請求項１記載の保護用緩衝材。
【考案の詳細な説明】
【技術分野】
【０００１】この考案は、主として家具類の運送時に用いる保護用緩衝材に関する。
【背景技術】
【０００２】  従来、家財道具、家電製品などの各種物品を保管、運搬、搬出する際に、各種物品および周辺物、建造物の壁面等の破損、変動を防止するために、緩衝材としてシート類、ダンボール紙等が用いられてきた。
そして、この種の緩衝材は方形状のものが使用され、保管、運搬、搬出に便利なようにロープ、テープなどの結束条で緊縛されて一体化する作業が行われていた。
また、破損、変動しやすい各種物品の角部の破損、変動を防止するためには、複数枚の緩衝材を各種物品に重ねて包装するやり方が用いられてきた。
【考案の開示】
【考案が解決しようとする課題】
【０００３】  しかしながら、以上の技術によれば、各種物品を包装したこの種の緩衝材は保管、運搬、搬出に便利なようにロープ、テープなどの結束条で緊縛されて一体化する作業が行われていたが、作業に手間取り、煩雑であった。【０００４】  方形状の緩衝材は、被包装物品を包装する際に余分な部位を生じるため緩衝材資源の無駄が生じていた。【０００５】  破損、変動しやすい各種物品の角部の破損、変動を防止するために、複数枚の緩衝材を被包装品に重ねて包装するやり方は緩衝材を大量に必要とし、資源の無駄が生じていた。【０００６】  そこで、この考案は、各種物品の保護用緩衝材の包装作業時間の大幅な短縮、省力化、および、資源の節約を目的とする緩衝材を提供することを課題とする。
【課題を解決するための手段】
【０００７】以上の課題を解決するために、第一考案は、シート状保護用緩衝材において、単数または複数の緊縛用紐の片端部のみがシートに装着、固定され、前記装着、固定部には前記緊縛用紐を結びつけるための環状の縛止用部位が設置されており、緊縛用紐はシートで物品を包装する際にシートと物品を一体化させるためのものであり、被包装物品およびシートを緊縛用紐で巻きつけ前記縛止用部位に結びつけ緊縛することを特徴とする保護用緩衝材である。【０００８】  第二考案は、前記シートの形態が、底部の各辺にそれぞれ折線を介して側部を連設して十字形に形成され、被包装物の角部の破損、変動防止を強化するため側部の側辺部分に角部保護強化部（角代）のあることを特徴とする請求項１記載の保護用緩衝材である。
【考案の効果】
【０００９】  第一考案によれば、保護用緩衝材本体シートに、緊縛用紐および緊縛用紐を結びつける縛止用部位を装着したので、物品を保護用緩衝材で包装する作業時間の大幅な短縮、省力化が図られる。第二考案によれば、前記シートの形態を十字形に形成し、角部保護強化部（角代）を設けることで、緩衝材の余分な部位を減少させ、資源を節約しつつ、被包装物品の角部の保護強化が図られている。
【考案を実施するための最良の形態】
【００１０】  この考案の一実施形態を、図１に示す。
図１は本考案の保護用緩衝材本体シートの平状底面展開図である。本体１は底面部２と側部３ａ、３ｂ、３ｃ、３ｄと角部保護強化部（角代）４ａ、４ｂ、４ｃ、４ｄと緊縛用紐５ａ、５ｂとにより構成される。【００１１】  ６ａは図２に示すように緊縛用紐５ａの一部を折り返すことで環状に成形され縛止用部位を構成しており、その底面を３ａに接着している。同様に６ｂも図２に示すように緊縛用紐５ｂの一部を折り返すことで環状に成形され縛止用部位を構成しており、その底面を３ｄに接着している。【００１２】  本考案の実施方法は以下の通りである。まず、緊縛用紐５ａ、５ｂを十字に交差させ、その交差点に底面の中心を合わせて本体シート１を平状に展開する。【００１３】  底面に被包装物たる物品を置き、底面角部と前記物品角部とを合わせ側部３ｃで物品を覆いながら、折線７ｃを物品角部に沿って折り、物品の角部保護強化を図る。次いで３ａをその上から更に覆いかぶせながら、折線７ａを物品角部に沿って折る。そして、緊縛用紐５ａで被包装物および本体シートを巻きつけ、縛止用部位６ａに通し図３が示すように緊縛する。【００１４】  同様の方法で、３ｂで物品を覆い、折線７ｂを物品角部に沿って折り、次いで３ｄをその上から更に覆いかぶせながら、折線７ｄを物品角部に沿って折る。そして、緊縛用紐５ｂで被包装物および本体シートを巻きつけ、縛止用部位６ｂに通し図３が示すように緊縛する。【００１５】「実施形態の効果」
この実施形態によれば、保護用緩衝材シートに緊縛用紐、縛止用部位を装着することで、保護用緩衝材で被包装物を覆う手間が大幅に削減される結果包装作業自体の大幅な短縮、省力化が図られる。【００１６】  本体シートが十字型の形態であり当初から余分な部位が省かれているため、保護用緩衝材の無駄な部位が生じない。側部３ａ、３ｂ、３ｃ、３ｄに角部保護強化部（角代）があるため、被包装物品の角部の保護強化を図りつつ、余分な保護用緩衝材を使用しないことが可能となる。【００１７】「他の実施形態」
図１の実施形態では、本体シートの形態は十字型であったが、他の実施形態では、被包装物品の形態がソファー、椅子等の非四角錐状のものに対応するため図４が示すように本体シートの形態は方形状のものでも良い。
【図面の簡単な説明】
【００１８】
【図１】本考案の平状底面展開図である。
【図２】図１に示す縛止用部位の拡大斜視図である。
【図３】本考案の一実施形態を示す斜視図である。
【図４】他の実施形態の平状底面展開図である。
【符号の説明】
【００１９】１  本体シート
２  底面部
３ａ〜３ｄ  側部
４ａ〜４ｄ  角部保護強化部（角代）
５ａ〜５ｄ  緊縛用紐
６ａ〜６ｄ  縛止用部位
７ａ〜７ｄ  折線
【図１】
0003120552.tif 000003
【図２】
0003120552.tif 000004
【図３】
0003120552.tif 000005
【図４】
0003120552.tif 000006
(57)【要約】      （修正有）【課題】孔跡が目立たず、押し込む際、ピンが曲がらない押しピンを提供する。【解決手段】極小径ピン２を使用し、押しピン本体下部に接続部３によってサポートリング５を設けた押しピン本体１を壁面等の押し留める場所に押し込む。すると、押し込む力で接続部３が切れて押しピン本体１とサポートリング４がはずれる。さらに、壁面まできっちり押し込む。【選択図】図１
0003120559.tif 000002
【実用新案登録請求の範囲】
【請求項１】
極小径のピン（２）を使用して壁面等の孔跡を目立たなくし、押しピン本体（１）下部に接続部（３）によってピン（２）が曲がらないよう垂直に押し込めるサポートリング（４）を設けた押しピン。
【考案の詳細な説明】
【技術分野】
【０００１】本考案は極小径のピンを使用し、且つピンが垂直に押し込めるように接続部によってサポートリングを設けた押しピンに関するものである。
【背景技術】
【０００２】従来、ピン孔跡が目立っていた。壁等に押し込む際、ピンが曲がりやすかった。
【考案の開示】
【考案が解決しようとする課題】
【０００３】従来は次の様な欠点があった。
壁面に押しピンであけた孔跡が目立ってしまっていた。また、壁面に押しピンを押し込む際にピンが曲がりやすかった。
本考案はこの欠点を除き、壁面の押しピンの孔跡を目立たなくし、押しピンを押し込む際にピンが曲がってしまうのを改善する事を目的に考案されたものである。
【課題を解決するための手段】
【０００４】極小径のピン（２）を使用して壁面等の孔跡を目立たなくし、押しピン本体（１）下部に接続部（３）によってピン（２）が曲がらないよう垂直に押し込めるサポートリング（４）を設けた押しピン。
【考案の効果】
【０００５】壁面から押しピンを抜いたあと、押しピンの孔跡が目立たない。また、サポートリング付なので押しピンを壁面に押し込む際、極小径ピンでも曲がらず押し込むことが出来る。
【考案を実施するための最良の形態】
【０００６】押しピン本体（１）を壁面等の押し留める場所に押し込む。すると、押し込む力で接続部（３）が切れて押しピン本体（１）とサポートリング（４）がはずれる。さらに、壁面まできっちり押し込む。
【実施例】
【０００７】以下、本考案の実施例について説明する。
押しピンの素材として、本体・接続部・サポートリングはアクリル製、極小径ピンはステンレス製の物を使用する。押しピン本体下部に接続部によってサポートリングを設けている。本考案は以上のような構造で、これを使用する時は押しピン本体を壁面等の押し留める場所に押し込む。押し込む力で接続部が切れ押しピン本体とサポートリングが切り離される。次に、押しピン本体がサポートリング内径部にある凸部（５）に内接しながら垂直に壁面まで入り込む。その後にサポートリングを垂直上方に抜き取る。
【図面の簡単な説明】
【０００８】
【図１】本考案の請求項１の側面図である。
【図２】本考案の平面図である。
【図３】図２のＡ−Ｂ断面である。
【図４】図２のＣ−Ｄ断面である。
【図５】本考案の押しピン本体平面図である。
【図６】図５の側面図である。
【図７】本考案の実施例  使用前図である。
【図８】本考案の実施例  使用後図である。
【符号の説明】
【０００９】    １．押しピン本体
２．極小径のピン（釘）
３．接続部
４．サポートリング
５．サポートリング凸部
【図１】
0003120559.tif 000003
【図２】
0003120559.tif 000004
【図３】
0003120559.tif 000005
【図４】
0003120559.tif 000006
【図５】
0003120559.tif 000007
【図６】
0003120559.tif 000008
【図７】
0003120559.tif 000009
【図８】
0003120559.tif 000010
(57)【要約】      （修正有）【課題】一人用カセットガスコンロの収納スペースを最小限にし調理途中でもガスボンベの交換が容易に行えるシステムにする。【解決手段】小型燃焼器具をガスボンベ、五徳、の３点に分離し使用時に組み立てて１人用カセットガスコンロとすることで、五徳は積み重ねて収納が可能になり、五徳の側面に燃焼部の出し入れ用の開口部を設けたことで調理途中のガスボンベの交換も容易に行うことができる。【選択図】図６
0003120553.tif 000002
【実用新案登録請求の範囲】
【請求項１】
一人用小型カセットガスコンロの五徳の側面に燃焼部分を出し入れできる開口部を設け、調理途中でも容易にガスボンベの交換ができることを特徴とした五徳。
【請求項２】
五徳と燃焼器具を別々に用意し、ガスボンベを燃焼器具に装着した後に五徳内部に置くことによってコンロとして使用できることを特徴としたセットアップ方式の１人用の小型カセットガスコンロである。
【考案の詳細な説明】
【考案の属する技術】
【０００１】本考案は、旅館、料理屋等で使用されるアルコール固形燃料を使用する一人用コンロの代わりに使用するために非常に小型化した一人用のカセットガスコンロのシステムに関するものである。
【背景技術】
【０００２】従来の１人用小型カセットガスコンロは、燃焼部分と五徳部分が一体化されている。
調理途中のガスボンベの交換も鍋等をコンロからおろしガスボンベの交換、あるいはガスの充填を行っている。
【考案が解決しようとする課題】
【０００３】このため従来の１人用の小型カセットガスコンロは、器具そのものが大きく持ち運びにも不便であり、大きな収納スペースが必要であり、調理途中のガスボンベの交換も、コンロから鍋をおろしてカセットガスボンベを交換しなければならない等の問題があった。
【課題を解決するための手段】
【０００４】この問題を解決するためにガスボンベと燃焼器具と側面に燃焼部分を出し入れできる開口部を設けた五徳を別々に用意し、使用時に組み立ててコンロとする方法がある。
五徳の側面に燃焼部分を出し入れするための開口部を設けることで、調理途中のガスボンベの交換も鍋等をおろす必要もなく、調理の中断時間も少なく短時間に簡単に行うことができ、五徳は積み重ねて収納時には小さな収納スペースで収納ができる。
【考案が解決しようとする課題】
【０００５】解決しようとする問題点は、収納時、いかに小さな収納スペースで収納できるか、調理途中にガスが無くなった時、いかにして調理の中断時間を少なくし簡単にボンベの交換を可能にするかが課題である。
【課題を解決する手段】
【０００６】本考案の１人用小型カセットガスコンロは、燃焼器具、ガスボンベ、側面に燃焼部分を出し入れできる開口部を設けた五徳の３点から構成され、使用時のみこれらを組み合わせすることで、１人用の小型カセットガスコンロとして使用することができることを特徴とするセットアップ方式の１人用の小型カセットガスコンロである。
【考案の効果】
【０００７】本考案の小型カセットガスコンロは、燃焼器具と五徳を別々に分けたことで、収納スペースを最小限に抑えることができ、五徳の側面に燃焼部分を出し入れできる開口部を設けたことで調理中のガスボンベの交換も容易に行える利点がある。
【考案を実施するための最良の形態】
【０００８】燃焼器具と五徳を分離にすることで五徳は積み重ねて収納でき、五徳の側面に燃焼燃焼部分を出し入れできる開口部を設けることで、調理途中のガスボンベの交換も容易に行うことができる。
【実施例１】
【０００９】図１は燃焼器具、図２はガスボンベ図３、図４は本考案の五徳の実施例の図面であって、図３、４は五徳の側面に燃焼部を出し入れするために設けた開口部で、調理途中でも容易にガスボンベの交換をするための構造であり、図５は燃焼器具にガスボンベを装着した図であるが、装着方法は一般的な方法である。
図６は図３、４燃焼部分出し入れ用開口部から五徳内に図５の燃焼部分を入れて置きコンロとして使用する状態を示した実施例の側面図である。
図７は五徳を積み重ねて収納スペースを最小限にした実施例である。
【産業上の利用可能性】
【００１０】以上説明したように本実案のセットアップ型カセットガスコンロは、収納スペースを最小限に抑えることができ、調理途中でも容易にガスボンベの交換が可能であり旅館、ホテル、飲食店等の業務用品として最適である。
【図面の簡単な説明】
【００１１】
【図１】ガス燃焼器具の側面図
【図２】ガスボンベの側面図
【図３】五徳の側面図
【図４】五徳の上面図
【図５】燃焼器具にガスボンベを装着した側面図
【図６】五徳に燃焼部分をセットした側面図
【図７】五徳を積み重ねた側面図
【符号の説明】
【００１６】  １、空気取り入れ穴
２、ガス栓つまみ
３、五徳
４、燃焼部出し入れ用開口部
５、五徳底面
【図１】
0003120553.tif 000003
【図２】
0003120553.tif 000004
【図３】
0003120553.tif 000005
【図４】
0003120553.tif 000006
【図５】
0003120553.tif 000007
【図６】
0003120553.tif 000008
【図７】
0003120553.tif 000009
(57)【要約】      （修正有）【課題】頬の皮膚を顎から頭頂部方向への引張りと共に、鼻から後頭部方向へも引張って頬の肌を全面に引張ってシワ、たるみの進展を防ぐ。【解決手段】左右マット１を鼻用紐３と後頭部用バンド７とで横方向に引張り、更に顎用紐４と頭頂部用バンド８とで縦方向に引張られることによって、左右マットに密着している頬部の肌を縦横、即ち全面的に引張り、自宅でのプライベート時間帯に着用して顔面、特に頬から顎にかけてのシワやたるみの進展を防ぐことができる。【選択図】図１
0003120555.tif 000002
【実用新案登録請求の範囲】
【請求項１】
鼻部の左右側部より顎部に亘る夫々の頬部の肌に密着する左右マットと、
この左右マットの上端間に連ねると共に鼻下部に引掛けられる鼻用紐と、更に左右マットの下端間に連ねると共に顎部に引掛けられる顎用紐と、前記鼻用紐とほぼ一直線上となる様に左右マットの上端間に連ねると共に後頭部に巻回される弾力性の後頭部用バンドと、更に顎用細紐とほぼ一直線上となる様に左右マットの下端間に連ねると共に頭頂部に巻回される弾力性の頭頂部用バンドとでなしたことを特徴とする顔面たるみ防止マスク。
【請求項２】
左右マットと鼻用紐及び顎用紐とを夫々に備えられた相互に着脱自在の係止具にて連ねたことを特徴とする請求項１記載の顔面たるみ防止マスク。
【請求項３】
後頭部用バンド及び頭頂部用バンドをその中程にて二分して左右片とし、夫々の端部に備えられた相互に着脱自在の面ファスナーにて連ねたことを特徴とする請求項１〜２記載の顔面たるみ防止マスク。
【請求項４】
鼻部より顎部に至る顔面部を覆う前垂れの両端を、左右マット、後頭部用バンド、頭頂部用バンドの任意ものに着脱自在の係止具にて取り付けたことを特徴とする請求項１〜３記載の顔面たるみ防止マスク。
【考案の詳細な説明】
【技術分野】
【０００１】
本考案は自宅でのプライベー時間帯に着用して顔面、特に頬から顎にかけてのシワやたるみの進展を防止するマスクに関する。
【背景技術】
【０００２】
従来は、自宅でのマッサージやエステテックサロンにて、顎にかけてのシワやたるみの進展の防止を図っている。
そこで、下記特許文献１、２の如く、自宅でのプライベート時間帯において着用する矯正具が知られている。
而して、両特許文献に共通して言えることは、顎と頭頂部間に弾力性のバンドを巻回していることである。
即ち、顎から頭頂部間の頬の皮膚を引張りに止まっており、特に年齢と共に頬の皮膚は後頭部方向へもそのシワ、たるみが進展することとなる。
【０００３】
【特許文献１】実開平６−４０２５８号
【非特許文献１】技開Ｆ１０−２４６０５４号
【考案の開示】
【考案が解決しようとする課題】
【０００４】
本考案は、頬の皮膚を顎から頭頂部方向への引張りと共に、鼻から後頭部方向へも引張って頬の肌を全面に引張ってシワ、たるみが進展を防ぐこと。
【課題を解決するための手段】
【０００５】
以上を解決するため本考案は、左右マットを鼻用紐と後頭部用バンドとで横方向に引張り、更に顎用紐と頭頂部用バンドとで縦方向に引張られることによって、左右マットに密着している頬部の肌を縦横、即ち全面的に引張り、自宅でのプライベー時間帯に着用して顔面、特に頬から顎にかけてのシワやたるみの進展を防ぐことができる。
【考案の効果】
【０００６】
(１)請求項１により、左右マットは鼻用紐と後頭部用バンドとで横方向に引張られ、更に顎用紐と頭頂部用バンドとで縦方向に引張られることによって、左右マット
に密着している頬部の肌を縦横、即ち全面的に引張り、自宅でのプライベー時間帯に着用して顔面、特に頬から顎にかけてのシワやたるみの進展を防ぐことができる。
(２) 請求項２により、左右マットと鼻用紐及び顎用紐とを夫々に備えられた相互に着脱自在の係止具にて連ねたから、使用によって汚れた場合の水洗いに際し、それら紐を外して行えるので邪魔にならない。
(３) 請求項３により、使用者の頭部の大きさによって、そのバンドの夫々の面ファスナーにて長さ調整ができる。
(４) 請求項４により、使用時に必要に応じ顔面部を前垂れにて覆い、周囲の者への配慮ができる。
【考案を実施するための最良の形態】
【０００７】
以下に本考案を実施例に基づいて説明すると、図１は顔面たるみ防止マスクの使用状態を示す斜視図であって、左右マット１は頬部Faの肌に副って密着する様ハート型に形成され、且つ柔軟性のジェル状袋２となっている。この左右マット１の上端１aには該左右マット１を連ねる鼻用紐３を設けており、鼻下部Fbに引掛けられる。更に下端１bには同様に左右マット１を連ねると共に、顎Fd部に引掛けられる顎用紐４を有する。この鼻用紐３、顎用紐４、左右マット１には相互に着脱自在となる様に係止具５、６を有する。
【０００８】
左右マット１の上端１aには、左右マット１を連ねると共に後頭部Fcに巻回されるゴム、軟質合成樹脂等の弾力性の後頭部用バンド７を備えている。又、下端１bには、左右マット１を連ねると共に頭頂部Feに巻回されるゴム、軟質合成樹脂等の弾力性の頭頂部用バンド８を備えている。
而して、前記鼻用紐３と後頭部用バンド７とはほぼ一直線上となり、横方向の引張力Xが作用する。又顎用紐４と頭頂部用バンド８とはほぼ一直線上となり、縦方向の引張力Yが作用する。この後頭部用バンド７と頭頂部用バンド８とはその中程にて二分して左右片７a、７b、８a、８bとし、夫々に面ファスナー９を備え、相互に着脱自在としており、使用者の頭部の大きさによって、その面ファスナー９の位置にて長さ調整ができる。
【０００９】
更に使用時に必要に応じ顔面部Fを前垂れ１０にて覆い、周囲の者への配慮ができる。この前垂れ１０の両端を、左右マット１、後頭部用バンド７、頭頂部用バンド８の任意ものに係止具１１にて取り付ける。
【図面の簡単な説明】
【００１０】
【図１】マスクの使用状態を示す斜視図
【図２】同上の拡大斜視図
【図３】マットの拡大部分図
【図４】バンドの拡大部分図
【符号の説明】
【００１１】
F  顔面部
Fa  頬部
Fb  鼻下部
Fc  後頭部
Fd  顎
X  横方向の引張力
Y  縦方向の引張力
１  左右マット
３  鼻用紐
４  顎用紐
７  後頭部用バンド
８  頭頂部用バンド
９  面ファスナー
１０  前垂れ
【図１】
0003120555.tif 000003
【図２】
0003120555.tif 000004
【図３】
0003120555.tif 000005
【図４】
0003120555.tif 000006
(57)【要約】      （修正有）【課題】クッション性に優れ、かつ穿き心地が良好でアウターウエアに響かないクッション下着を提供する。【解決手段】低反発ウレタンフォームを素材とするクッション部材３を、着用者Ａの臀部Ｂ全体を覆う大きさで、その内面が着用者Ａの臀部Ｂに沿う形状に一体成形して、パンツ状の下着本体２に縫い込み、クッション部材３の体圧分散機能によって十分なクッション性を確保するとともに、その大きさと内面形状により、アウターウエアへの影響を少なくし、良好な穿き心地が得られるようにした。【選択図】図１
0003120573.tif 000002
【実用新案登録請求の範囲】
【請求項１】
低反発ウレタンフォームを素材とするクッション部材を、着用者の臀部全体を覆う大きさで、その内面が着用者の臀部に沿う形状に一体成形して、パンツ状の下着本体に縫い込んだクッション下着。
【考案の詳細な説明】
【技術分野】
【０００１】
本考案は、クッション機能を備えた下着に関する。
【背景技術】
【０００２】
一般に、家庭や職場で座って家事や仕事をするときは、座面にクッション性のある椅子や座布団等を使用するが、外出したときには、長時間にわたって座面の堅い椅子や床に直接座らざるをえず、臀部に加わる圧力を苦痛に感じるといったことがある。特に、痔疾を患っている人は、患部が圧迫を受けて激しい痛みを感じることもある。また、そのような状況が予め考えられる場合は、座布団等を持って出かけるようにすればよいが、持ち運びに不便を感じることが多い。
【０００３】
これに対して、痔疾患者用のパンツとして、着用者の肛門部と対向する部位を囲む形状の緩衝層を設け、着座時に肛門部に加わる圧力の軽減を図ったものが提案されており（特許文献１参照。）、その緩衝層を臀部の下方全体に広げれば、一般者用のクッション機能を備えたパンツが得られる。このようなパンツを使用すれば、座面の堅い椅子や床に直接座るときの苦痛が緩和され、座布団等を持って出かける必要もなくなる。
【特許文献１】特開平１１−３１８９７４号公報
【０００４】
しかしながら、上記特許文献１に記載されたパンツでは、緩衝層としてネット状編布やラッセル、トリコット等の布を単独でまたは積層して用いているため、十分なクッション性を得ようとすると緩衝層がかなりの厚みになってしまい、着用時に違和感が生じるし、このパンツに重ねて体に密着するアウターウエアを穿くと、緩衝層のある部分とない部分との段差が目立つおそれがある。一方、穿き心地やアウターウエアへの影響を重視して緩衝層の厚みを抑えると、クッション性の低下が避けられない。
【考案の開示】
【考案が解決しようとする課題】
【０００５】
本考案の課題は、クッション性に優れ、かつ穿き心地が良好でアウターウエアに響かないクッション下着を提供することである。
【課題を解決するための手段】
【０００６】
本考案のクッション下着は、上記の課題を解決するために、低反発ウレタンフォームを素材とするクッション部材を、着用者の臀部全体を覆う大きさで、その内面が着用者の臀部に沿う形状に一体成形して、パンツ状の下着本体に縫い込んだ構成とした。
【０００７】
すなわち、下着本体に縫い込むクッション部材を低反発ウレタンフォームで形成して、この素材の優れた体圧分散機能により十分なクッション性を確保するとともに、着用者の臀部全体を覆う大きさとして、アウターウエアへの影響を少なくし、その内面が着用者の臀部に沿う形状として、良好な穿き心地が得られるようにしたのである。
【考案の効果】
【０００８】
本考案のクッション下着は、上述したように、下着本体に縫い込むクッション部材を、低反発ウレタンフォームを用いて、着用者の臀部全体を覆う大きさで、その内面が着用者の臀部に沿う形状に一体成形したものであるから、クッション性に優れ、座面の堅い椅子や床に直接座るときの苦痛を確実に緩和することができるし、穿き心地も良く、体に密着するアウターウエアにも響かない。また、クッション部材の断熱性により、冬季の着座時に体が冷えにくいという効果もある。従って、特に冷え性の女性や痔疾患者の使用に適している。
【考案を実施するための最良の形態】
【０００９】
以下、図１および図２に基づき、この考案の実施形態を説明する。このクッション下着１は、図１（ａ）、（ｂ）に示すように、パンツ状の下着本体２に、着用者Ａの臀部Ｂ全体を覆う大きさのクッション部材３を縫い込んだものである。
【００１０】
前記下着本体２は、身生地２ａの後身側の表面に、身生地２ａと同じ素材でクッション部材３よりわずかに大きい外当布２ｂをその縁部で縫い付けており、身生地２ａと外当布２ｂとの間にクッション部材３を収納するようになっている。なお、クッション部材の縫い込みは、図１に示した例とは逆に、身生地の裏面側としてもよい。また、下着本体は、図１に示した形状のものに限らず、ショーツ、ブリーフ、ガードル等も採用できる。
【００１１】
前記クッション部材３は、低反発ウレタンフォームを素材とし、図２（ａ）、（ｂ）にも示すように、内面および外面が着用者Ａの臀部Ｂに沿う形状に形成されている。また、その厚みは、縁部で徐々に薄くなっており、その他の部分ではほぼ一定である。
【００１２】
このクッション下着１は、上記の構成であり、着座時には低反発ウレタンフォームで形成されたクッション部材３が臀部に加わる圧力を効果的に分散するので、長時間にわたって座面の堅い椅子や床に直接座る場合でも着用者に苦痛を感じさせない。しかも、クッション部材３が着用者Ａの臀部Ｂ全体を覆う大きさで、その内面が着用者Ａの臀部Ｂに沿う形状となっているので、穿き心地も良く、体に密着するアウターウエアにも響かない。
【００１３】
なお、上述した実施形態では、クッション部材の縁部以外の厚みをほぼ一定にしたが、クッション部材の外面側を理想的なヒップラインに形成して、体に密着するアウターウエアを穿いたときに外見上のスタイルをより美しく見せるようにすることもできる。
【図面の簡単な説明】
【００１４】
【図１】ａは実施形態のクッション下着の着用状態を示す外観斜視図、ｂはａの縦断面図
【図２】ａは図１の下着のクッション部材の外観斜視図、ｂはａの縦断面図
【符号の説明】
【００１５】
１  クッション下着
２  下着本体
２ａ  身生地
２ｂ  外当布
３  クッション部材
Ａ  着用者
Ｂ  臀部
【図１】
0003120573.tif 000003
【図２】
0003120573.tif 000004